(57)【特許請求の範囲】
【請求項１】
特定のアクセスにおけるアクセスポイント名（ＡＰＮ）使用についての許可を与えるための方法であって、
リクエスタから要求を受信するための受信機を使用することであって、前記要求は、前記ＡＰＮに対する許可およびアクセスについての要求であり、前記要求は、前記リクエスタの気付アドレス（ＣｏＡ）を備える、使用することと、
前記ＣｏＡに基づいて前記リクエスタによって使用されるアクセス技術のタイプを決定することと、
前記リクエスタによって使用される前記アクセス技術のタイプに基づいて前記ＡＰＮに対してアクセスを許可するために少なくとも１つの許可ルールを管理することであって、
それぞれが対応するアクセス技術のタイプに関連付けられた禁止ＣｏＡのブラックリストを得ることと、
前記ＡＰＮに対してアクセスを可能にすべきかまたはアクセスを拒否すべきかを決定することは、前記ＣｏＡが前記ブラックリストにおける前記禁止ＣｏＡのうちの１つであるかどうかに基づくこととを備える、管理することと、
前記管理するステップからの結果を使用して、前記リクエスタに対してアクセスを可能にすべきかまたはアクセスを拒否すべきかのいずれかを決定するための処理ユニットを使用することとを備える方法。
【請求項２】
アクセスを可能にする許可メッセージまたはアクセスを拒否する拒否メッセージのいずれかを送ることをさらに備える、請求項１に記載の方法。
【請求項３】
前記気付アドレス（ＣｏＡ）と前記アクセス技術のタイプとの前記関連付けを示すメッセージを送ることをさらに備える、請求項２に記載の方法。
【請求項４】
前記関連付けを示す前記メッセージは、ポリシーおよび課金ルール機能（ＰＣＲＦ）サブシステムに、または認証、許可、およびアカウンティング（ＡＡＡ）サブシステムに送られる、請求項３に記載の方法。
【請求項５】
アクセスを拒否されるべき前記禁止気付アドレス（ＣｏＡ）のリストをホームエージェント（ＨＡ）に送ることをさらに備える、請求項３に記載の方法。
【請求項６】
前記管理するステップの結果はホームエージェント（ＨＡ）に送られ、前記結果が、前記ホームエージェント（ＨＡ）へのＩＰ接続性アクセスネットワーク（ＣＡＮ）応答上で搬送される、請求項１に記載の方法。
【請求項７】
前記リクエスタがモバイルユーザデバイスであり、前記気付アドレス（ＣｏＡ）が前記モバイルユーザデバイスを識別する、請求項１に記載の方法。
【請求項８】
前記アクセス技術のタイプは、無線ローカルエリアネットワーク（ＷＬＡＮ）、ワイヤード接続、周波数分割多元接続（ＦＤＭＡ）、直交周波数分割多元接続（ＯＦＤＭＡ）、符号分割多元接続（ＣＤＭＡ）、時分割多元接続（ＴＤＭＡ）または空間分割多元接続（ＳＤＭＡ）のうちの１つである、請求項７に記載の方法。
【請求項９】
前記気付アドレス（ＣｏＡ）は前記モバイルユーザデバイスのＩＰアドレスである、請求項７に記載の方法。
【請求項１０】
特定のアクセスにおけるアクセスポイント名（ＡＰＮ）使用についての許可を与えるための装置であって、
リクエスタから要求を受信するための受信機であって、前記要求は、前記ＡＰＮに対する許可およびアクセスについての要求であり、前記要求は、前記リクエスタの気付アドレス（ＣｏＡ）を備える、受信機と、
メモリに結合されたプロセッサと、を備え、前記メモリは、
前記ＣｏＡに基づいて前記リクエスタによって使用されるアクセス技術のタイプを決定することと、
前記リクエスタによって使用される前記アクセス技術のタイプに基づいて前記ＡＰＮに対してアクセスを許可するために少なくとも１つの許可ルールを管理することであって、
それぞれが対応するアクセス技術のタイプに関連付けられた禁止ＣｏＡのブラックリストを得ることと、
前記ＡＰＮに対してアクセスを可能にすべきかまたはアクセスを拒否すべきかを決定することは、前記ＣｏＡが前記ブラックリストにおける前記禁止ＣｏＡのうちの１つであるかどうかに基づくこととを備える、管理することと、
前記少なくとも１つの許可ルールを管理することの結果を使用して、前記リクエスタに対してアクセスを可能にすべきかまたはアクセスを拒否すべきかのいずれかを決定するための処理ユニットを使用することと
を実行するために前記プロセッサによって実行可能なプログラムコードを含んでいる、装置。
【請求項１１】
アクセスを可能にする許可メッセージまたはアクセスを拒否する拒否メッセージのいずれかを送るためのトランシーバをさらに備える、請求項１０に記載の装置。
【請求項１２】
前記トランシーバはまた、前記気付アドレス（ＣｏＡ）と前記アクセス技術のタイプとの前記関連付けを示すメッセージを送る、請求項１１に記載の装置。
【請求項１３】
前記関連付けを示す前記メッセージは、ポリシーおよび課金ルール機能（ＰＣＲＦ）サブシステムに、または認証、許可、およびアカウンティング（ＡＡＡ）サブシステムに送られる、請求項１２に記載の装置。
【請求項１４】
前記トランシーバはまた、アクセスを拒否されるべき前記禁止気付アドレス（ＣｏＡ）のリストをホームエージェント（ＨＡ）に送る、請求項１２に記載の装置。
【請求項１５】
前記少なくとも１つの許可ルールを管理することの結果は、トランシーバを使用してホームエージェント（ＨＡ）に送られ、前記結果は、前記ホームエージェント（ＨＡ）へのＩＰ接続性アクセスネットワーク（ＣＡＮ）応答上で搬送される、請求項１０に記載の装置。
【請求項１６】
前記リクエスタはモバイルユーザデバイスであり、前記気付アドレス（ＣｏＡ）は前記モバイルユーザデバイスを識別する、請求項１０に記載の装置。
【請求項１７】
前記アクセス技術のタイプは、無線ローカルエリアネットワーク（ＷＬＡＮ）、ワイヤード接続、周波数分割多元接続（ＦＤＭＡ）、直交周波数分割多元接続（ＯＦＤＭＡ）、符号分割多元接続（ＣＤＭＡ）、時分割多元接続（ＴＤＭＡ）または空間分割多元接続（ＳＤＭＡ）のうちの１つである、請求項１６に記載の装置。
【請求項１８】
前記気付アドレス（ＣｏＡ）は、前記モバイルユーザデバイスのＩＰアドレスである、請求項１６に記載の装置。
【請求項１９】
特定のアクセスにおけるアクセスポイント名（ＡＰＮ）使用についての許可を与えるための装置であって、
リクエスタから要求を受信するための手段であって、前記要求は、前記ＡＰＮに対する許可およびアクセスについての要求であり、前記要求は、前記リクエスタの気付アドレス（ＣｏＡ）を備える、受信するための手段と、
前記ＣｏＡに基づいて前記リクエスタによって使用されるアクセス技術のタイプを決定するための手段と、
前記リクエスタによって使用される前記アクセス技術のタイプに基づいて前記ＡＰＮに対してアクセスを許可するために少なくとも１つの許可ルールを管理するための手段であって、
それぞれが対応するアクセス技術のタイプに関連付けられた禁止ＣｏＡのブラックリストを得るための手段と、
前記ＡＰＮに対してアクセスを可能にすべきかまたはアクセスを拒否すべきかを決定するための手段は、前記ＣｏＡが前記ブラックリストにおける前記禁止ＣｏＡのうちの１つであるかどうかに基づくこととを備える、管理するための手段と、
前記少なくとも１つの許可ルールを管理することの結果を使用して、前記リクエスタに対してアクセスを可能にすべきかまたはアクセスを拒否すべきかのいずれかを決定するための手段とを備える装置。
【請求項２０】
コンピュータプログラムを記憶した非一時的なコンピュータ可読媒体であって、前記コンピュータプログラムの実行は、
リクエスタから要求を受信することであって、前記要求は、ＡＰＮに対する許可およびアクセスについての要求であり、前記要求は、前記リクエスタの気付アドレス（ＣｏＡ）を備える、受信することと、
前記ＣｏＡに基づいて前記リクエスタによって使用されるアクセス技術のタイプを決定することと、
前記リクエスタによって使用される前記アクセス技術のタイプに基づいて前記ＡＰＮに対してアクセスを許可するために少なくとも１つの許可ルールを管理することであって、
それぞれが対応するアクセス技術のタイプに関連付けられた禁止ＣｏＡのブラックリストを得ることと、
前記ＡＰＮに対してアクセスを可能にすべきかまたはアクセスを拒否すべきかを決定することは、前記ＣｏＡが前記ブラックリストにおける前記禁止ＣｏＡのうちの１つであるかどうかに基づくこととを備える、管理することと、
前記少なくとも１つの許可ルールを管理することの結果を使用して、前記リクエスタに対してアクセスを可能にすべきかまたはアクセスを拒否すべきかのいずれかを決定することとのためである、非一時的なコンピュータ可読媒体。
【請求項２１】
前記許可ルールは、特定のアクセス技術のタイプによってアクセスを許可するためのＡＰＮ特定ルールである、請求項１に記載の方法。
【請求項２２】
前記許可ルールは、特定のアクセス技術のタイプによってアクセスを許可するためのＡＰＮ特定ルールである、請求項１０に記載の装置。
【請求項２３】
前記許可ルールは、特定のアクセス技術のタイプによってアクセスを許可するためのＡＰＮ特定ルールである、請求項１９に記載の装置。
【請求項２４】
前記許可ルールは、特定のアクセス技術のタイプによってアクセスを許可するためのＡＰＮ特定ルールである、請求項２０に記載のコンピュータ可読媒体。
【請求項２５】
アクセスを可能にする許可メッセージまたはアクセスを拒否する拒否メッセージのいずれかを送るための手段をさらに備える、請求項１９に記載の装置。
【請求項２６】
前記送るための手段は、前記気付アドレス（ＣｏＡ）と前記アクセス技術のタイプとの前記関連付けを示すメッセージを送るようにさらに構成される、請求項２５に記載の装置。
【請求項２７】
前記コンピュータプログラムの実行は、さらにアクセスを可能にする許可メッセージまたはアクセスを拒否する拒否メッセージのいずれかを送るためである、請求項２０に記載のコンピュータ可読媒体。
【請求項２８】
前記コンピュータプログラムの実行は、さらに前記気付アドレス（ＣｏＡ）と前記アクセス技術のタイプとの前記関連付けを示すメッセージを送るためである、請求項２７に記載のコンピュータ可読媒体。
【発明の詳細な説明】
【技術分野】
【０００１】
本開示は、一般に、無線通信システムにおける許可のための装置および方法に関する。より詳細には、本開示は、特定のアクセスにおけるアクセスポイント名（ＡＰＮ：access point name）使用についての許可技法に関する。
【背景技術】
【０００２】
通信ネットワークは、いくつかの対話している空間的に分離された要素の間でメッセージを交換するために使用される。ネットワークは、異なる属性によって分類され得る。たとえば、ネットワークの地理的スパンは、ワイドエリア、メトロポリタンエリア、ローカルエリア、またはパーソナルエリアにわたり得、対応するネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と示される。ネットワークはまた、様々なネットワークノードとデバイスとを相互接続するために使用されるスイッチング／ルーティング技法（たとえば、回線交換対パケット交換）において、波形伝搬のために採用される物理媒体のタイプ（たとえば、ワイヤード対無線）において、または使用される通信プロトコルのセット（たとえば、インターネットプロトコルスイート、ＳＯＮＥＴ（同期光ネットワーキング）、イーサネット（登録商標）、非同期転送モード（ＡＴＭ）など）において異なる。
【０００３】
通信ネットワークの１つの重要な属性は、ネットワーク構成要素の間の信号送信のためのワイヤードまたは無線媒体の使用である。ワイヤードネットワークの場合、銅線、同軸ケーブル、光ファイバケーブルなどの有形物理媒体は、ある距離にわたってメッセージトラフィックをトランスポートする誘導電磁波形を伝搬する。ワイヤードネットワークは、通信ネットワークの従来の形式であり、一般に、固定の大容量ネットワーク要素の相互接続または大量データ転送に好適である。たとえば、光ファイバケーブルは、しばしば、大型ネットワークハブの間の長距離にわたる超高スループットトランスポート適用例、たとえば、地球表面上の大陸を横断するかまたは大陸の間の大量データトランスポートに好適な伝送媒体である。
【０００４】
一方、無線ネットワークは、しばしば、動的接続性を必要とするモバイル要素が使用されるとき、またはネットワークアーキテクチャが固定ではなくアドホックなトポロジーで形成される場合に好適である。無線ネットワークは、無線、マイクロ波、赤外線、光などの周波数帯域中の電磁波を使用して、非誘導伝搬モードで無形物理媒体を使用する。無線ネットワークは、固定ワイヤードネットワークと比較して、ユーザモビリティと迅速なフィールド展開とを可能にするという別個の利点を有する。しかしながら、無線伝搬技法は、ネットワークユーザ間の有意なアクティブリソース管理と、両立的なスペクトル利用のためのハイレベルな相互の協調および協働とを必要とする。１つのそのようなリソース管理問題は、特定のアクセスタイプをもつユーザの許可である。
【発明の概要】
【０００５】
特定のアクセスにおけるアクセスポイント名（ＡＰＮ）使用についての許可のための装置および方法が開示される。一態様によれば、特定のアクセスにおけるアクセスポイント名（ＡＰＮ）使用についての許可を与えるための方法であって、リクエスタから許可およびアクセスについての要求を受信するための受信機を使用することと、要求における気付アドレス（ＣｏＡ：care-of-address）と、リクエスタによって使用されるアクセス技術との関連付けを決定することと、気付アドレス（ＣｏＡ）とアクセス技術との関連付けに基づいて少なくとも１つの許可ルールを管理することと、管理するステップからの結果を使用して、リクエスタに対してアクセスを可能にすべきかまたはアクセスを拒否すべきかのいずれかを決定するための処理ユニットを使用することとを備える方法が提供される。
【０００６】
別の態様によれば、特定のアクセスにおけるアクセスポイント名（ＡＰＮ）使用についての許可を与えるための装置であって、リクエスタから許可およびアクセスについての要求を受信するための受信機と、メモリに結合されたプロセッサであって、メモリが、ａ）要求における気付アドレス（ＣｏＡ）と、リクエスタによって使用されるアクセス技術との関連付けを決定することと、ｂ）気付アドレス（ＣｏＡ）とアクセス技術との関連付けに基づいて少なくとも１つの許可ルールを管理することと、ｃ）少なくとも１つの許可ルールを管理することの結果を使用して、リクエスタに対してアクセスを可能にすべきかまたはアクセスを拒否すべきかのいずれかを決定するための処理ユニットを使用することとを実行するためのプロセッサによって実行可能なプログラムコードを含んでいる、プロセッサとを備える装置が提供される。
【０００７】
別の態様によれば、特定のアクセスにおけるアクセスポイント名（ＡＰＮ）使用についての許可を与えるための装置であって、リクエスタから許可およびアクセスについての要求を受信するための手段と、要求における気付アドレス（ＣｏＡ）と、リクエスタによって使用されるアクセス技術との関連付けを決定するための手段と、気付アドレス（ＣｏＡ）とアクセス技術との関連付けに基づいて少なくとも１つの許可ルールを管理するための手段と、少なくとも１つの許可ルールを管理することの結果を使用して、リクエスタに対してアクセスを可能にすべきかまたはアクセスを拒否すべきかのいずれかを決定するための手段とを備える装置が提供される。
【０００８】
別の態様によれば、コンピュータプログラムを記憶したコンピュータ可読媒体であって、コンピュータプログラムの実行が、リクエスタから許可およびアクセスについての要求を受信することと、要求における気付アドレス（ＣｏＡ）と、リクエスタによって使用されるアクセス技術との関連付けを決定することと、気付アドレス（ＣｏＡ）とアクセス技術との関連付けに基づいて少なくとも１つの許可ルールを管理することと、少なくとも１つの許可ルールを管理することの結果を使用して、リクエスタに対してアクセスを可能にすべきかまたはアクセスを拒否すべきかのいずれかを決定することとのためである、コンピュータ可読媒体が提供される。
【０００９】
本開示の利点は、許可をユーザの特定のアクセスタイプと相関させる能力を含む。
【００１０】
様々な態様が例として図示され説明される、以下の発明を実施するための形態から、当業者には他の態様が容易に明らかになることを理解されたい。図面および発明を実施するための形態は、本質的に例示的なものと見なされるべきであり、限定的なものと見なされるべきではない。
【図面の簡単な説明】
【００１１】
【図１】図１は、例示的なアクセスノード／ＵＥシステムを示すブロック図である。
【図２】図２は、許可について異なる始動をもつ例示的なポリシーおよび課金制御（ＰＣＣ：policy and charging control）ベースのソリューションを示す。
【図３】図３は、許可について異なる始動をもつ例示的なポリシーおよび課金制御（ＰＣＣ）ベースのソリューションを示す。
【図４】図４は、許可について異なる始動をもつ例示的なポリシーおよび課金制御（ＰＣＣ）ベースのソリューションを示す図。
【図５】図５は、許可について異なる始動をもつ例示的なポリシーおよび課金制御（ＰＣＣ）ベースのソリューションを示す。
【図６】図６は、認証、許可、およびアカウンティング（ＡＡＡ：authentication, authorization, and accounting）始動をもつ例示的なＡＡＡベースのソリューションを示し、アクセスゲートウェイ（ＡＧＷ）がアクセス技術とＩＰアドレスとの間の関連付けを与える。
【図７】図７は、ホームエージェント（ＨＡ）始動をもつ例示的な認証、許可、およびアカウンティング（ＡＡＡ）ベースのソリューションを示し、アクセスゲートウェイ（ＡＧＷ）がアクセス技術とＩＰアドレスとの間の関連付けを与える。
【図８】図８は、ホームエージェント（ＨＡ）始動をもつ例示的な認証、許可、およびアカウンティング（ＡＡＡ）ベースのソリューションを示し、ユーザ機器（ＵＥ）がアクセス技術とＩＰアドレスとの間の関連付けを与える。
【図９】図９は、アクセスゲートウェイ（ＡＧＷ）が、ポリシーおよび課金ルール機能（ＰＣＲＦ：policy and charging rules function）からホームエージェント（ＨＡ）のブラックリストを受信する、例示的な追加の許可ソリューションを示す。
【図１０】図１０は、特定のアクセスにおけるアクセスポイント名（ＡＰＮ）使用についての許可を与えるための例示的な流れ図を示す。
【図１１】図１１は、特定のアクセスにおけるアクセスポイント名（ＡＰＮ）使用についての許可を与えるためのプロセスを実行するためのメモリと通信しているプロセッサを備えるデバイスの一例を示す。
【図１２】図１２は、特定のアクセスにおけるアクセスポイント名（ＡＰＮ）使用についての許可を与えるのに好適なデバイスの一例を示す。
【詳細な説明】
【００１２】
添付の図面とともに以下に示す詳細な説明は、本開示の様々な態様を説明するものであり、本開示が実施され得る唯一の態様を表すものではない。本開示で説明する各態様は、本開示の例または説明として与えるものにすぎず、必ずしも他の態様よりも好適であるまたは有利であると解釈すべきではない。詳細な説明は、本開示の完全な理解を与えるための具体的な詳細を含む。ただし、本開示はこれらの具体的な詳細なしに実施され得ることが当業者には明らかであろう。場合によっては、本開示の概念を不明瞭にしないように、よく知られている構造およびデバイスをブロック図の形式で示す。頭字語および他の記述的専門用語は、単に便宜のためにおよび明瞭にするためにのみ使用され得、本開示の範囲を限定するものではない。
【００１３】
説明を簡単にするために、方法を一連の行為として図示し説明するが、いくつかの行為は、１つまたは複数の態様によれば、本明細書で図示し説明する順序とは異なる順序で、および／または他の行為と同時に行われ得るので、方法は行為の順序によって限定されないことを理解し、諒解されたい。たとえば、方法は、状態図など、一連の相互に関係する状態またはイベントとして代替的に表現され得ることを、当業者は理解し、諒解するであろう。さらに、１つまたは複数の態様による方法を実装するために、図示のすべての行為が必要とされるわけではない。
【００１４】
図１は、例示的な無線ネットワーク１００（たとえば、アクセスノード／ＵＥシステム）を示すブロック図である。図１に示す例示的な無線ネットワーク１００は、周波数分割多元接続（ＦＤＭＡ）環境、直交周波数分割多元接続（ＯＦＤＭＡ）環境、符号分割多元接続（ＣＤＭＡ）環境、広帯域符号分割多元接続（ＷＣＤＭＡ）環境、時分割多元接続（ＴＤＭＡ）環境、空間分割多元接続（ＳＤＭＡ）環境、または任意の他の好適な無線環境において実装され得ることを当業者ならば理解されよう。
【００１５】
無線ネットワーク１００は、アクセスノード１０１（たとえば、基地局）と、ユーザ機器またはＵＥ２０１（たとえば、無線通信デバイスまたはモバイルユーザデバイス）とを含む。ダウンリンクレッグにおいて、アクセスノード１０１（たとえば、基地局）は、トラフィックデータを受け付け、フォーマットし、コーディングし、インターリーブし、変調し（またはシンボルマッピングし）、変調シンボル（たとえば、データシンボル）を供給する送信（ＴＸ）データプロセッサＡ１１０を含む。ＴＸデータプロセッサＡ１１０はシンボル変調器Ａ１２０と通信している。シンボル変調器Ａ１２０は、データシンボルとダウンリンクパイロットシンボルとを受け付け、処理し、シンボルのストリームを供給する。一態様では、トラフィックデータを変調（またはシンボルマッピング）し、変調シンボル（たとえば、データシンボル）を供給するのは、シンボル変調器Ａ１２０である。一態様では、シンボル変調器Ａ１２０は、構成情報を提供するプロセッサＡ１８０と通信している。シンボル変調器Ａ１２０は送信機ユニット（ＴＭＴＲ）Ａ１３０と通信している。シンボル変調器Ａ１２０は、データシンボルとダウンリンクパイロットシンボルとを多重化し、それらを送信機ユニットＡ１３０に供給する。
【００１６】
送信されるべき各シンボルは、データシンボル、ダウンリンクパイロットシンボルまたは信号値０であり得る。ダウンリンクパイロットシンボルは、各シンボル期間中に連続的に送られ得る。一態様では、ダウンリンクパイロットシンボルは周波数分割多重化（ＦＤＭ）される。別の態様では、ダウンリンクパイロットシンボルは直交周波数分割多重化（ＯＦＤＭ）される。さらに別の態様では、ダウンリンクパイロットシンボルは符号分割多重化（ＣＤＭ）される。一態様では、送信機ユニットＡ１３０は、シンボルのストリームを受信し、１つまたは複数のアナログ信号に変換し、さらに、そのアナログ信号を調整して、たとえば、増幅、フィルタ処理および／または周波数アップコンバートして、無線送信に好適なアナログダウンリンク信号を生成する。次いで、アナログダウンリンク信号はアンテナ１４０を通して送信される。
【００１７】
ダウンリンクレッグにおいて、ＵＥ２０１は、アナログダウンリンク信号を受信し、そのアナログダウンリンク信号を受信機ユニット（ＲＣＶＲ）Ｂ２２０に入力するためのアンテナ２１０を含む。一態様では、受信機ユニットＢ２２０は、アナログダウンリンク信号を調整して、たとえば、フィルタ処理、増幅、および周波数ダウンコンバートして、第１の「調整された」信号にする。次いで、この第１の「調整された」信号はサンプリングされる。受信機ユニットＢ２２０はシンボル復調器Ｂ２３０と通信している。シンボル復調器Ｂ２３０は、受信機ユニットＢ２２０から出力された第１の「調整」および「サンプリング」された信号（たとえば、データシンボル）を復調する。代替形態は、シンボル復調器Ｂ２３０中にサンプリングプロセスを実装することであることを当業者ならば理解されよう。シンボル復調器Ｂ２３０はプロセッサＢ２４０と通信している。プロセッサＢ２４０は、シンボル復調器Ｂ２３０からダウンリンクパイロットシンボルを受信し、そのダウンリンクパイロットシンボルに対してチャネル推定を実行する。一態様では、チャネル推定は、現在の伝搬環境を特徴付けるプロセスである。シンボル復調器Ｂ２３０は、プロセッサＢ２４０からダウンリンクレッグの周波数応答推定値を受信する。シンボル復調器Ｂ２３０は、データシンボルに対してデータ復調を実行して、ダウンリンク経路上のデータシンボル推定値を取得する。ダウンリンク経路上のデータシンボル推定値は、送信されたデータシンボルの推定値である。シンボル復調器Ｂ２３０はまた、ＲＸデータプロセッサＢ２５０と通信している。
【００１８】
ＲＸデータプロセッサＢ２５０は、シンボル復調器Ｂ２３０からダウンリンク経路上のデータシンボル推定値を受信し、たとえば、そのダウンリンク経路上のデータシンボル推定値を復調（すなわち、シンボルデマッピング）、デインターリーブおよび／または復号して、トラフィックデータを復元する。一態様では、シンボル復調器Ｂ２３０およびＲＸデータプロセッサＢ２５０による処理は、それぞれシンボル変調器Ａ１２０およびＴＸデータプロセッサＡ１１０による処理を補足するものである。
【００１９】
アップリンクレッグにおいて、ＵＥ２０１はＴＸデータプロセッサＢ２６０を含む。ＴＸデータプロセッサＢ２６０は、トラフィックデータを受け付け、処理して、データシンボルを出力する。ＴＸデータプロセッサＢ２６０はシンボル変調器Ｄ２７０と通信している。シンボル変調器Ｄ２７０は、データシンボルを受け付け、アップリンクパイロットシンボルと多重化し、変調を実行し、シンボルのストリームを供給する。一態様では、シンボル変調器Ｄ２７０は、構成情報を提供するプロセッサＢ２４０と通信している。シンボル変調器Ｄ２７０は送信機ユニットＢ２８０と通信している。
【００２０】
送信されるべき各シンボルは、データシンボル、アップリンクパイロットシンボルまたは信号値０であり得る。アップリンクパイロットシンボルは、各シンボル期間中に連続的に送られ得る。一態様では、アップリンクパイロットシンボルは周波数分割多重化（ＦＤＭ）される。別の態様では、アップリンクパイロットシンボルは直交周波数分割多重化（ＯＦＤＭ）される。さらに別の態様では、アップリンクパイロットシンボルは符号分割多重化（ＣＤＭ）される。一態様では、送信機ユニットＢ２８０は、シンボルのストリームを受信し、１つまたは複数のアナログ信号に変換し、さらに、そのアナログ信号を調整して、たとえば、増幅、フィルタ処理および／または周波数アップコンバートして、無線送信に好適なアナログアップリンク信号を生成する。次いで、アナログアップリンク信号はアンテナ２１０を通して送信される。
【００２１】
ＵＥ２０１からのアナログアップリンク信号は、アンテナ１４０によって受信され、受信機ユニットＡ１５０によって処理され、サンプルを得る。一態様では、受信機ユニットＡ１５０は、アナログアップリンク信号を調整して、たとえば、フィルタ処理、増幅、および周波数ダウンコンバートして、第２の「調整された」信号にする。次いで、この第２の「調整された」信号はサンプリングされる。受信機ユニットＡ１５０はシンボル復調器Ｃ１６０と通信している。代替形態は、シンボル復調器Ｃ１６０中にサンプリングプロセスを実装することであることを当業者ならば理解されよう。シンボル復調器Ｃ１６０は、データシンボルに対してデータ復調を実行して、アップリンク経路上のデータシンボル推定値を取得し、次いで、アップリンクパイロットシンボルと、アップリンク経路上のデータシンボル推定値とをＲＸデータプロセッサＡ１７０に供給する。アップリンク経路上のデータシンボル推定値は、送信されたデータシンボルの推定値である。ＲＸデータプロセッサＡ１７０は、アップリンク経路上のデータシンボル推定値を処理して、無線通信デバイス２０１によって送信されたトラフィックデータを復元する。シンボル復調器Ｃ１６０はまた、プロセッサＡ１８０と通信している。プロセッサＡ１８０は、アップリンクレッグ上で送信しているアクティブ端末ごとにチャネル推定を実行する。一態様では、複数の端末は、パイロットサブバンドセットがインターレースされ得る、パイロットサブバンドのそれぞれの割り当てられたセット上でアップリンクレッグ上に同時にパイロットシンボルを送信し得る。
【００２２】
プロセッサＡ１８０およびプロセッサＢ２４０は、それぞれアクセスノード１０１（たとえば、基地局）およびＵＥ２０１における動作を指示（すなわち、制御、調整または管理など）する。一態様では、プロセッサＡ１８０およびプロセッサＢ２４０の一方または両方は、プログラムコードおよび／またはデータの記憶のために１つまたは複数のメモリユニット（図示せず）に結合される。一態様では、プロセッサＡ１８０またはプロセッサＢ２４０の一方または両方、あるいは両方は、それぞれアップリンクレッグおよびダウンリンクレッグについて周波数応答推定値およびインパルス応答推定値を導出するための計算を実行する。
【００２３】
一態様では、無線ネットワーク１００は多元接続システムである。アクセス技法は、複数のユーザが、同じ割り振られた無線スペクトルを同時に共有することを可能にするために使用される複数のアクセス技術のタイプを含む。多元接続システム（たとえば、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）など）の場合、複数の端末がアップリンクレッグ上で同時に送信し、複数のＵＥへのアクセスが可能になる。一態様では、多元接続システムの場合、パイロットサブバンドは、異なる端末の間で共有され得る。各端末のパイロットサブバンドが（場合によっては、バンドエッジを除いて）動作帯域全体にわたる場合、チャネル推定技法が使用される。そのようなパイロットサブバンド構造は、端末ごとに周波数ダイバーシティを得るために望ましい。
【００２４】
無線ネットワーク１００の設計における重要な考慮事項は、内部と外部の両方の他のネットワークユーザと無線通信デバイスを相互接続するために使用されるスイッチングまたはルーティング技法のタイプである。従来の無線ネットワークは、通信リソース（たとえば、周波数帯域、タイムスロット、ＣＤＭＡ符号など）の固定の割振りが、通信セッションの持続時間の間にネットワークユーザ間で割り振られる、回線交換アーキテクチャから開始した。より最近では、無線ネットワークは、通信リソースが、必要に応じてパケット伝送ごとに割り振られる、パケット交換アーキテクチャへ移行している。これらのアーキテクチャでは、すべてのメッセージは、セルフルーティング情報を個々に含んでいる有限の一連の個別パケットに分解される。このようにして、パケット交換通信システムは、たいていのタイプの通信トラフィックについて改善されたリソース利用とルーティングフレキシビリティとを提供する。一般にはパケットヘッダフィールド中に含まれているセルフルーティング情報は、順に各パケットの次のルーティング経路を決定するための転送情報として様々なネットワークノードによって使用される。
【００２５】
デュアルスタックモバイルインターネットプロトコルバージョン６（ＤＳ−ＭＩＰｖ６）プロトコルを使用する無線ネットワークでは、特定のサービスへのアクセス許可は、ＤＳ−ＭＩＰｖ６モビリティアンカーであるホームエージェント（ＨＡ）において実行される。しかしながら、ＤＳ−ＭＩＰｖ６プロトコル自体により、ネットワークアクセス許可とサービス許可とが別個で無相関であるので、この許可プロセスは、通常、ユーザ機器（たとえば、無線通信デバイスまたはモバイルユーザデバイス）のアクセスネットワークタイプを考慮に入れない。特定のサービスへの許可がＵＥアクセス方法に依存する場合、追加の特徴およびプロトコルが必要とされる。
【００２６】
一例では、無線通信ネットワークは、ユビキタスインターネットプロトコル（ＩＰ）に基づく。インターネットプロトコル（ＩＰ）は、ＩＰと互換性がある任意の形態のネットワークを通してデータパケットをルーティングするための汎用機構を提供する。この機構を通して、非常に異なるデータレート、可用性、エラーロバストネス、レイテンシなどをもつワイヤードネットワークと無線ネットワークの両方が相互接続され得る。特に、ユーザ機器（ＵＥ）としても知られるモバイルユーザデバイスは、無線ネットワークに接続し、ＩＰアクセスを取得するために、Ｒｅｑｕｅｓｔ  ｆｏｒ  Ｃｏｍｍｅｎｔｓ（ＲＦＣ）３７７５によって規定されたモバイルＩＰバージョン６（ＭＩＰｖ６）プロトコルを使用し得る。一例では、ＭＩＰｖ６は、異なる無線アクセス技術内でのモバイルユーザデバイスモビリティを可能にする。一例では、ホームエージェント（ＨＡ）は、パケットデータネットワークまたはインターネットへのアクセスを提供する。
【００２７】
本明細書で開示する無線ネットワークは、ネットワークアクセスについての許可のプロビジョンを含む。このコンテキストでは、許可は、ネットワークリソースおよびサービスへの特定のアクセス権を管理する。一例では、ＵＥが、あるアクセスネットワークまたはアクセス技術にアクセスしているとき、事業者は、あるアクセスポイント名（ＡＰＮ）への許可された接続性を可能にするかまたは拒否する必要があることがある。たとえば、無線事業者は、ＵＥが無線ローカルエリアネットワーク（ＷＬＡＮ）に接続されているとき、企業ネットワークＡＰＮの使用を拒否することを希望し得る。
【００２８】
一例では、デュアルスタックモバイルＩＰ（ＤＳ−ＭＩＰ）の場合、ホームエージェント（ＨＡ）がＡＰＮ許可を施行するエレメントであるので、ＡＰＮ許可の施行ポイントはホームエージェント（ＨＡ）である。デュアルスタックは、レガシーのＩＰｖ４プロトコルと、より新しいＩＰｖ６プロトコルの両方をサポートするデュアル能力を指す。一例では、決定ポイントは、ポリシーおよび課金ルール機能（ＰＣＲＦ）またはＡＡＡであり得る。一態様では、気付アドレス（ＣｏＡ）と使用中のアクセス技術との間の関連付けを決定ポイントに示すプロシージャがある。たとえば、そのプロシージャは、ａ）（随意に、ＵＥシグナリング関与をもつ）ＡＡＡシグナリングベース、または、ｂ）ポリシーおよび課金制御（ＰＣＣ）シグナリングベースであり得る。一態様では、ＡＡＡ／ＰＣＲＦがどのようにいつ特定のＡＰＮの許可されたアクセスのリストをＨＡに通信するか、およびＣｏＡとアクセス技術との間の関連付けに関して決定ポイントがどのように通知されるかに応じて、異なる手法が考慮される。
【００２９】
一態様では、ポリシーおよび課金ルール機能（ＰＣＲＦ）は、サービスレイヤとトランスポートレイヤとをリンクするポリシーエンティティである。ＰＣＲＦは、加入者およびアプリケーションデータを照合し、ＱｏＳリソースを許可し、基礎をなすトラフィックをどのように進めるべきかについてトランスポートプレーンに命令する。別の態様では、ポリシーおよび課金施行機能（ＰＣＥＦ：policy and charging enforcement function）は、トラフィックプレーン上に常駐し、トラフィック検出とポリシー施行とを担当する。
【００３０】
本明細書において一例として開示するポリシーおよび課金制御（ＰＣＣ）ベースのソリューションは、ＣｏＡとアクセス技術との間の関連付けのために使用され得る。ＰＣＲＦは、ＣｏＡのブラックリスト（すなわち、禁止ＣｏＡ）、すなわち、それらのＣｏＡによって識別されたアクセス技術からＵＥによってアクセスされ得ないＡＰＮにバインドされたＨＡを、代表的なＰＣＥＦ／ＨＡにプッシュし得る。代替的に、ＰＣＲＦは、ＢＵが受信された後、ＰＣＥＦ／ＨＡがＩＰ−ＣＡＮ（ＩＰ接続性アクセスネットワーク）セッション変更を開始するのを待つことができる。一例では、ゲートウェイ制御セッションによってＣｏＡと技術との間の関連付けが実行される。
【００３１】
図２〜図５は、許可について異なる始動をもつ例示的なポリシーおよび課金制御（ＰＣＣ）ベースのソリューションを示す。たとえば、図２は、許可についてのポリシーおよび課金ルール機能（ＰＣＲＦ）始動をもつ例示的なポリシーおよび課金制御（ＰＣＣ）ベースのソリューションを示す。図３は、許可についてのポリシーおよび課金施行機能（ＰＣＥＦ）始動をもつ例示的なポリシーおよび課金制御（ＰＣＣ）ベースのソリューションを示す。図４は、ネットワークアドレス変換（ＮＡＴ）が展開されたときの、許可についてのポリシーおよび課金ルール機能（ＰＣＲＦ）始動をもつ例示的なポリシーおよび課金制御（ＰＣＣ）ベースのソリューションを示す。図５は、ネットワークアドレス変換（ＮＡＴ）が展開されたときの、許可についてのポリシーおよび課金施行機能（ＰＣＥＦ）始動をもつ例示的なポリシーおよび課金制御（ＰＣＣ）ベースのソリューションを示す。
【００３２】
一例では、ネットワークアドレス変換（ＮＡＴ）が使用された場合、ＡＧＷによって与えられるＩＰアドレスは、ＨＡによって使用されるＣｏＡとは異なり得る。すなわち、ＵＥによってセットアップされるＩＰアドレスはＣｏＡでないことがある。ＡＧＷによって与えられるアドレスは、ＵＥによって構築され、送られるバインディング更新メッセージ（ＢＵ：Binding Update）のＩＰｖ４  ＣｏＡオプション中に挿入されたアドレスである。ＨＡおよびＰＣＲＦは、この情報を使用して、定義されたアクセスにおいてＡＰＮの許可を実行することができる。
【００３３】
一態様では、上記のＰＣＣベースのソリューションの欠如に対する代替形態は、ＣｏＡと、対応する技術との間の関連付けのためにＡＡＡを使用することである。通信プロシージャを達成するための２つの例は、ａ）ＡＡＡシグナリングを用いたアクセス、または、ｂ）ＭＩＰ６要求（ＭＩＲ：MIP6-Request）／ＭＩＰ６返答（ＭＩＡ：MIP6 Answer）メッセージに関連してバインディング更新（ＢＵ）を用いたＵＥによるアクセスを含む。一例では、ＡＡＡは、それぞれのＨＡにＣｏＡのブラックリストをプッシュすることができる。すなわち、ＨＡは、それらのＣｏＡによって識別されたアクセス技術からＵＥによってアクセスされ得ないＡＰＮにバインドされる。ＡＡＡは、バインディングを許可するとき、ＣｏＡにバインドされた技術を評価し、バインディングを許可または拒否する。
【００３４】
図６は、認証、許可、およびアカウンティング（ＡＡＡ）始動をもつ例示的なＡＡＡベースのソリューションを示し、アクセスゲートウェイ（ＡＧＷ）がアクセス技術とＩＰアドレスとの間の関連付けを与え、ＡＡＡがそれぞれのＨＡにＣｏＡのブラックリストをプッシュする。図７は、ホームエージェント（ＨＡ）始動をもつ例示的な認証、許可、およびアカウンティング（ＡＡＡ）ベースのソリューションを示し、アクセスゲートウェイ（ＡＧＷ）がアクセス技術とＩＰアドレスとの間の関連付けを与える。
【００３５】
一例では、ＡＡＡベースのソリューションへのさらなる拡張が取得され得る。ＡＧＷによって与えられるＩＰアドレスが、ＨＡによって使用されるＣｏＡとは異なる場合、ＮＡＴが使用され得る。この場合、ＡＧＷによって与えられるアドレスは、ＵＥによってＩＰｖ４  ＣｏＡオプション中に挿入されたアドレスである。ＨＡおよびＰＣＲＦは、この情報を使用して、定義されたアクセスにおいてＡＰＮの許可を実行することができる。別の例では、たとえば、ＵＥがアクセス許可を実行しているとき、ＤＨＣＰｖ４が使用されたとき、ＡＧＷは、ＵＥに割り当てられたＩＰアドレスを常に知っているわけではない。ＡＧＷがＵＥのＩＰアドレスを知った後、ＡＧＷとＡＡＡとの間の追加のメッセージ交換が必要とされ得る。ＩＰアドレスと、ＵＥによって与えられる技術との間の関連付けの場合、ＡＧＷとＵＥとの間で何らかの暗号化が必要とされる。
【００３６】
一例では、ＣｏＡと技術との間の関連付けの通信は、バインディング更新メッセージへの拡張の使用を用いたＵＥ始動であり得る。この場合、今度は、ＢＵを受信した後、ＨＡは、ＣｏＡにバインドされた技術を通信するＭＩＲメッセージをＡＡＡサーバに送る。そのような手法は、ただ１つのＨＡが展開されたとき、ＡＡＡ始動ソリューションが使用され得ないことを暗示する。しかしながら、ＵＥによって複数のＨＡが使用されたとき、ＡＡＡ始動とＨＡ始動の両方のハイブリッド手法が使用され得、役に立つ。たとえば、ＨＡは、ＡＡＡにＭＩＰｖ６バインディング許可要求を送り、ＡＡＡは、メッセージに返答することによってバインディングを拒否し得る。ＡＡＡは、ＣｏＡと、ＵＥが使用しているアクセス技術とを抽出し得る。その後、他のＡＰＮにアクセスするためにそのＣｏＡが使用され得ない場合、ＡＡＡはこのＣｏＡを他のＨＡにプッシュし得る。
【００３７】
図８は、ホームエージェント（ＨＡ）始動をもつ例示的な認証、許可、およびアカウンティング（ＡＡＡ）ベースのソリューションを示し、ユーザ機器（ＵＥ）がアクセス技術とＩＰアドレスとの間の関連付けを与える。
【００３８】
一例では、ＡＧＷが、ＵＥが接続されているときに使用することができないＨＡのブラックリストをＰＣＲＦから受信する、追加のソリューションが提供され得る。一例では、ＵＥがブラックリステッドＨＡにバインディング更新（ＢＵ）を送ったとき、ＡＧＷは、ＨＡに到着しないＢＵをフィルタ処理する。
【００３９】
図９は、アクセスゲートウェイ（ＡＧＷ）が、ポリシーおよび課金ルール機能（ＰＣＲＦ）からホームエージェント（ＨＡ）のブラックリストを受信する、例示的な追加の許可ソリューションを示す。
【００４０】
図１０は、特定のアクセスにおけるアクセスポイント名（ＡＰＮ）使用についての許可を与えるための例示的な流れ図を示す。ブロック１０１０において、リクエスタから許可およびアクセスについての要求を受信する。一例では、要求を受信するために受信機が使用される。一態様では、ネットワーク中のユーザ機器（すなわち、モバイルユーザデバイス）が許可およびアクセスについての要求を生成する。すなわち、ユーザ機器はリクエスタである。別の例では、要求は、ネットワーク中のアクセスゲートウェイ（ＡＧＷ）によって受信される。要求の受信に続いて、ブロック１０２０において、要求における気付アドレス（ＣｏＡ）と、リクエスタによって使用されるアクセス技術との関連付けを決定する。気付アドレス（ＣｏＡ）は、許可およびアクセスについての要求を行うデバイス、たとえば、ユーザ機器またはモバイルユーザデバイスのアドレスである。一例では、気付アドレス（ＣｏＡ）の代わりに、アクセス技術を用いて要求を行うデバイスのＩＰアドレスが使用される。一例では、アクセスゲートウェイ（ＡＧＷ）が関連付けの決定を行う。アクセス技術の例には、限定はしないが、無線ＬＡＮ、ワイヤード接続、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）などがある。
【００４１】
ブロック１０３０において、気付アドレス（ＣｏＡ）とアクセス技術との関連付けを示すメッセージを送る。一例では、メッセージを送るためにトランシーバが使用される。別の例では、メッセージは、アクセスゲートウェイ（ＡＧＷ）によってポリシーおよび課金ルール機能（ＰＣＲＦ）サブシステムに送られる。一例では、ポリシーおよび課金ルール機能（ＰＣＲＦ）サブシステムは、ポリシーおよび課金制御（ＰＣＣ）サブシステムの一部である。別の例では、メッセージは、アクセスゲートウェイ（ＡＧＷ）によって認証、許可、およびアカウンティング（ＡＡＡ）サブシステムに送られる。
【００４２】
ブロック１０４０において、気付アドレス（ＣｏＡ）とアクセス技術との関連付けに基づいて許可ルールを管理する。一態様では、許可ルールは、あらかじめ決定され、ポリシーおよび課金ルール機能（ＰＣＲＦ）サブシステムにインポートされる。別の態様では、許可ルールは、あらかじめ決定され、認証、許可、およびアカウンティング（ＡＡＡ）サブシステムにインポートされる。許可ルールは、特定の動作特性、設計者選定、アクセス技術のタイプ、ＣｏＡ情報などに基づき得るので、本開示の範囲および趣旨は、特定の許可ルールに限定されないことを当業者は理解するであろう。
【００４３】
ブロック１０４０に続いて、ブロック１０５０において、アクセスを拒否されるべき禁止気付アドレス（ＣｏＡ）のリストを、たとえば、アクセスを許可または拒否することになるホームエージェント（ＨＡ）に送る。一例では、リストを送るためにトランシーバが使用される。一態様では、禁止ＣｏＡはあらかじめ決定される。また、禁止ＣｏＡは、（別名として）ブラックリステッドＣｏＡとしても知られる。ブロック１０５０のステップは随意のステップである。
【００４４】
ブロック１０６０において、ブロック１０４０からの管理することの結果を使用して、アクセスを可能にすべきかまたはアクセスを拒否すべきかのいずれかを決定する。一態様では、たとえば、ポリシーおよび課金ルール機能（ＰＣＲＦ）サブシステム、または認証、許可、およびアカウンティング（ＡＡＡ）サブシステムのいずれかの中の処理ユニットがブロック１０６０のステップを実行する。ブロック１０６０に続いて、ブロック１０７０において、リクエスタに許可メッセージまたは拒否メッセージを送る。一例では、許可または拒否メッセージは、たとえば、トランシーバを使用して、ホームエージェント（ＨＡ）によって、要求を行ったユーザ機器（すなわち、モバイルユーザデバイス）に送られる。ホームエージェント（ＨＡ）には、許可ルールを管理することの結果が与えられる。一例では、許可ルールを管理することの結果は、たとえば、ポリシーおよび課金ルール機能（ＰＣＲＦ）サブシステム、または認証、許可、およびアカウンティング（ＡＡＡ）サブシステムから、ホームエージェント（ＨＡ）へのＩＰ接続性アクセスネットワーク（ＣＡＮ）応答上で搬送される。
【００４５】
図１０の例示的な流れ図に開示したステップは、本開示の範囲および趣旨から逸脱することなくそれらの順序において交換され得ることを当業者ならば理解されよう。また、流れ図に示すステップは排他的なものではなく、本開示の範囲および趣旨に影響を及ぼすことなく他のステップを含めるかあるいは例示的な流れ図のステップのうちの１つまたは複数を削除し得ることを当業者ならば理解されよう。
【００４６】
さらに、本明細書で開示する例に関して説明する様々な例示的な構成要素、論理ブロック、モジュール、および／またはアルゴリズムステップは、電子ハードウェア、ファームウェア、コンピュータソフトウェア、またはそれらの組合せとして実装され得ることを当業者はさらに認識するであろう。ハードウェア、ファームウェア、およびソフトウェアのこの互換性を明確に示すために、様々な例示的な構成要素、ブロック、モジュール、および／またはアルゴリズムステップについて、上記では概してそれらの機能に関して説明した。そのような機能をハードウェアとして実装するか、ファームウェアとして実装するか、またはソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲または趣旨からの逸脱を生じるものと解釈すべきではない。
【００４７】
たとえば、ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装され得る。ソフトウェアの場合、実施は、本明細書で説明する機能を実行するモジュール（たとえば、プロシージャ、関数など）を介し得る。ソフトウェアコードは、メモリユニットに記憶され、プロセッサユニットによって実行され得る。さらに、本明細書で説明する様々な例示的な流れ図、論理ブロック、モジュール、および／またはアルゴリズムステップは、当技術分野で知られている任意のコンピュータ可読媒体上に担持されるかまたは当技術分野で知られている任意のコンピュータプログラム製品に実装されたコンピュータ可読命令としてもコード化され得る。
【００４８】
１つまたは複数の例では、本明細書で説明するステップまたは機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などの無線技術を使用して、ウェブサイト、サーバ、または他のリモートソースから送信される場合、同軸ケーブル、光ファイバケーブル、ツイストペア、ＤＳＬ、または赤外線、無線、およびマイクロ波などの無線技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００４９】
一例では、本明細書で説明する例示的な構成要素、流れ図、論理ブロック、モジュール、および／またはアルゴリズムステップは、１つまたは複数のプロセッサを用いて実装または実行される。一態様では、プロセッサは、本明細書で説明する様々な流れ図、論理ブロックおよび／またはモジュールを実装または実行するために、プロセッサによって実行されるデータ、メタデータ、プログラム命令などを記憶するメモリに結合される。図１１は、特定のアクセスにおけるアクセスポイント名（ＡＰＮ）使用についての許可を与えるためのプロセスを実行するためのメモリ１１２０と通信しているプロセッサ１１１０を備えるデバイス１１００の一例を示す。一例では、デバイス１１００は、図１０に示すアルゴリズムを実装するために使用される。一態様では、メモリ１１２０はプロセッサ１１１０内に配置される。別の態様では、メモリ１１２０はプロセッサ１１１０の外部にある。一態様では、プロセッサは、本明細書で説明する様々な流れ図、論理ブロックおよび／またはモジュールを実装または実行するための回路を含む。
【００５０】
図１２は、特定のアクセスにおけるアクセスポイント名（ＡＰＮ）使用についての許可を提供するのに好適なデバイス１２００の一例を示す。一態様では、デバイス１２００は、本明細書のブロック１２１０、１２２０、１２３０、１２４０、１２５０、１２６０および１２７０において説明するように、特定のアクセスにおけるアクセスポイント名（ＡＰＮ）使用についての許可を与えることの異なる態様を与えるように構成された１つまたは複数のモジュールを備える少なくとも１つのプロセッサによって実装される。たとえば、各モジュールはハードウェア、ファームウェア、ソフトウェア、またはそれらの任意の組合せを備える。一態様では、デバイス１２００は、少なくとも１つのプロセッサと通信している少なくとも１つのメモリによっても実装される。
【００５１】
開示する態様の前述の説明は、当業者が本開示を実施または使用できるように与えたものである。これらの態様への様々な変更は当業者にはすぐに明らかになり、本明細書で定義された包括的な原理は本開示の趣旨または範囲から逸脱することなく他の態様に適用され得る。
以下に、出願当初の特許請求の範囲に記載された発明を付記する。
［Ｃ１］
特定のアクセスにおけるアクセスポイント名（ＡＰＮ）使用についての許可を与えるための方法であって、
リクエスタから許可およびアクセスについての要求を受信するための受信機を使用することと、
前記要求における気付アドレス（ＣｏＡ）と前記リクエスタによって使用されるアクセス技術との関連付けを決定することと、
前記気付アドレス（ＣｏＡ）と前記アクセス技術との前記関連付けに基づいて少なくとも１つの許可ルールを管理することと、
前記管理するステップからの結果を使用して、前記リクエスタに対してアクセスを可能にすべきかまたはアクセスを拒否すべきかのいずれかを決定するための処理ユニットを使用することとを備える方法。
［Ｃ２］
アクセスを可能にする許可メッセージまたはアクセスを拒否する拒否メッセージのいずれかを送ることをさらに備える、Ｃ１に記載の方法。
［Ｃ３］
前記気付アドレス（ＣｏＡ）と前記アクセス技術との前記関連付けを示すメッセージを送ることをさらに備える、Ｃ２に記載の方法。
［Ｃ４］
前記関連付けを示す前記メッセージは、ポリシーおよび課金ルール機能（ＰＣＲＦ）サブシステムに、または認証、許可、およびアカウンティング（ＡＡＡ）サブシステムに送られる、Ｃ３に記載の方法。
［Ｃ５］
アクセスを拒否されるべき禁止気付アドレス（ＣｏＡ）のリストをホームエージェント
（ＨＡ）に送ることをさらに備える、Ｃ３に記載の方法。
［Ｃ６］
前記管理するステップの結果はホームエージェント（ＨＡ）に送られ、前記結果が、前記ホームエージェント（ＨＡ）へのＩＰ接続性アクセスネットワーク（ＣＡＮ）応答上で搬送される、Ｃ１に記載の方法。
［Ｃ７］
前記リクエスタがモバイルユーザデバイスであり、前記気付アドレス（ＣｏＡ）が前記モバイルユーザデバイスを識別する、Ｃ１に記載の方法。
［Ｃ８］
前記アクセス技術は、無線ローカルエリアネットワーク（ＷＬＡＮ）、ワイヤード接続、周波数分割多元接続（ＦＤＭＡ）、直交周波数分割多元接続（ＯＦＤＭＡ）、符号分割多元接続（ＣＤＭＡ）、時分割多元接続（ＴＤＭＡ）または空間分割多元接続（ＳＤＭＡ）のうちの１つである、Ｃ７に記載の方法。
［Ｃ９］
前記気付アドレス（ＣｏＡ）は前記モバイルユーザデバイスのＩＰアドレスである、Ｃ７に記載の方法。
［Ｃ１０］
特定のアクセスにおけるアクセスポイント名（ＡＰＮ）使用についての許可を与えるための装置であって、
リクエスタから許可およびアクセスについての要求を受信するための受信機と、
メモリに結合されたプロセッサと、を備え、前記メモリは、
前記要求における気付アドレス（ＣｏＡ）と前記リクエスタによって使用されるアクセス技術との関連付けを決定することと、
前記気付アドレス（ＣｏＡ）と前記アクセス技術との前記関連付けに基づいて少なくとも１つの許可ルールを管理することと、
前記少なくとも１つの許可ルールを管理することの結果を使用して、前記リクエスタに対してアクセスを可能にすべきかまたはアクセスを拒否すべきかのいずれかを決定するための処理ユニットを使用することと
を実行するために前記プロセッサによって実行可能なプログラムコードを含んでいる、装置。
［Ｃ１１］
アクセスを可能にする許可メッセージまたはアクセスを拒否する拒否メッセージのいずれかを送るためのトランシーバをさらに備える、Ｃ１０に記載の装置。
［Ｃ１２］
前記トランシーバはまた、前記気付アドレス（ＣｏＡ）と前記アクセス技術との前記関連付けを示すメッセージを送る、Ｃ１１に記載の装置。
［Ｃ１３］
前記関連付けを示す前記メッセージは、ポリシーおよび課金ルール機能（ＰＣＲＦ）サブシステムに、または認証、許可、およびアカウンティング（ＡＡＡ）サブシステムに送られる、Ｃ１２に記載の装置。
［Ｃ１４］
前記トランシーバはまた、アクセスを拒否されるべき禁止気付アドレス（ＣｏＡ）のリストをホームエージェント（ＨＡ）に送る、Ｃ１２に記載の装置。
［Ｃ１５］
前記少なくとも１つの許可ルールを管理することの結果は、トランシーバを使用してホームエージェント（ＨＡ）に送られ、前記結果は、前記ホームエージェント（ＨＡ）へのＩＰ接続性アクセスネットワーク（ＣＡＮ）応答上で搬送される、Ｃ１０に記載の装置。
［Ｃ１６］
前記リクエスタはモバイルユーザデバイスであり、前記気付アドレス（ＣｏＡ）は前記モバイルユーザデバイスを識別する、Ｃ１０に記載の装置。
［Ｃ１７］
前記アクセス技術は、無線ローカルエリアネットワーク（ＷＬＡＮ）、ワイヤード接続、周波数分割多元接続（ＦＤＭＡ）、直交周波数分割多元接続（ＯＦＤＭＡ）、符号分割多元接続（ＣＤＭＡ）、時分割多元接続（ＴＤＭＡ）または空間分割多元接続（ＳＤＭＡ）のうちの１つである、Ｃ１６に記載の装置。
［Ｃ１８］
前記気付アドレス（ＣｏＡ）は、前記モバイルユーザデバイスのＩＰアドレスである、Ｃ１６に記載の装置。
［Ｃ１９］
特定のアクセスにおけるアクセスポイント名（ＡＰＮ）使用についての許可を与えるための装置であって、
リクエスタから許可およびアクセスについての要求を受信するための手段と、
前記要求における気付アドレス（ＣｏＡ）と前記リクエスタによって使用されるアクセス技術との関連付けを決定するための手段と、
前記気付アドレス（ＣｏＡ）と前記アクセス技術との前記関連付けに基づいて少なくとも１つの許可ルールを管理するための手段と、
前記少なくとも１つの許可ルールを管理することの結果を使用して、前記リクエスタに対してアクセスを可能にすべきかまたはアクセスを拒否すべきかのいずれかを決定するための手段とを備える装置。
［Ｃ２０］
コンピュータプログラムを記憶したコンピュータ可読媒体であって、前記コンピュータプログラムの実行は、
リクエスタから許可およびアクセスについての要求を受信することと、
前記要求における気付アドレス（ＣｏＡ）と前記リクエスタによって使用されるアクセス技術との関連付けを決定することと、
前記気付アドレス（ＣｏＡ）と前記アクセス技術との前記関連付けに基づいて少なくとも１つの許可ルールを管理することと、
前記少なくとも１つの許可ルールを管理することの結果を使用して、前記リクエスタに対してアクセスを可能にすべきかまたはアクセスを拒否すべきかのいずれかを決定することとのためである、コンピュータ可読媒体。
【図１】
0005536222.tif 000002
【図２】
0005536222.tif 000003
【図３】
0005536222.tif 000004
【図４】
0005536222.tif 000005
【図５】
0005536222.tif 000006
【図６】
0005536222.tif 000007
【図７】
0005536222.tif 000008
【図８】
0005536222.tif 000009
【図９】
0005536222.tif 000010
【図１０】
0005536222.tif 000011
【図１１】
0005536222.tif 000012
【図１２】
0005536222.tif 000013